Podtech/llm-jp-corpus-v4-ja_patent huggingface dataset:
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
複数のノズルが形成されたノズル面を有し前記複数のノズルから液体を液滴としてそれぞれ噴射する液滴噴射ヘッドの前記複数のノズルから前記液体を排出する排出動作を行うステップと、
前記排出動作後、前記液滴噴射ヘッドの前記ノズル面を第１繊維体に押し込む第１押込動作を行うステップと、
前記第１押込動作後、前記液滴噴射ヘッドの前記ノズル面を洗浄液により洗浄する洗浄動作を行うステップと、
前記洗浄動作後、前記液滴噴射ヘッドの前記ノズル面を第２繊維体に押し込む第２押込動作を行うステップと、
前記第２押込動作後、前記液滴噴射ヘッドの前記ノズル面を前記第２繊維体に押し込む押込量を前記第２押込動作より小さくし、前記液滴噴射ヘッドの前記ノズル面と前記第２繊維体とを相対移動させる拭取動作を行うステップと、
前記拭取動作後、前記液滴噴射ヘッドにより塗布対象物に向けて液滴を噴射する噴射動作を行うステップと、
を有することを特徴とする塗布体の製造方法。
【請求項２】
移動可能に設けられ、複数のノズルが形成されたノズル面を有し前記複数のノズルから液体を液滴としてそれぞれ噴射する液滴噴射ヘッドと、
移動可能に設けられ、前記液滴噴射ヘッドの前記複数のノズルから排出された前記液体を受け取る受取部と、
移動可能に設けられ、前記液滴噴射ヘッドの前記ノズル面を洗浄液により洗浄する洗浄部と、
移動可能に設けられ、前記液滴噴射ヘッドの前記ノズル面が押し込まれる第１繊維体及び第２繊維体を有し、前記第２繊維体により前記液滴噴射ヘッドの前記ノズル面を拭く拭掃部と、
前記液滴噴射ヘッドと前記受取部とを対向させ、前記液滴噴射ヘッドの前記複数のノズルから前記液体を排出する排出動作を行う手段と、
前記排出動作後、前記液滴噴射ヘッドと前記拭掃部とを対向させ、前記液滴噴射ヘッドの前記ノズル面を前記第１繊維体に押し込む第１押込動作を行う手段と、
前記第１押込動作後、前記液滴噴射ヘッドと前記洗浄部とを対向させ、前記液滴噴射ヘッドの前記ノズル面を前記洗浄部により洗浄する洗浄動作を行う手段と、
前記洗浄動作後、前記液滴噴射ヘッドと前記拭掃部とを対向させ、前記液滴噴射ヘッドの前記ノズル面を前記第２繊維体に押し込む第２押込動作を行う手段と、
前記第２押込動作後、前記液滴噴射ヘッドの前記ノズル面を前記第２繊維体に押し込む押込量を前記第２押込動作より小さくし、前記液滴噴射ヘッドの前記ノズル面と前記第２繊維体とを相対移動させる拭取動作を行う手段と、
前記拭取動作後、前記液滴噴射ヘッドにより塗布対象物に向けて液滴を噴射する噴射動作を行う手段と、
を備えることを特徴とする液滴噴射装置。
【手続補正２】
【補正対象書類名】明細書
【補正対象項目名】発明の名称
【補正方法】変更
【補正の内容】
【発明の名称】塗布体の製造方法及び液滴噴射装置
【手続補正３】
【補正対象書類名】明細書
【補正対象項目名】０００１
【補正方法】変更
【補正の内容】
【０００１】
本発明は、液滴を噴射する塗布体の製造方法及び液滴噴射装置に関する。
【手続補正４】
【補正対象書類名】明細書
【補正対象項目名】０００８
【補正方法】変更
【補正の内容】
【０００８】
本発明は、上記に鑑みてなされたものであり、その目的は、液滴噴射ヘッドのノズル面の損傷を抑えながら、ノズル面に付着した付着物及び洗浄液を除去し、噴射不良の発生を防止することができる塗布体の製造方法及び液滴噴射装置を提供することである。
【手続補正５】
【補正対象書類名】明細書
【補正対象項目名】０００９
【補正方法】変更
【補正の内容】
【０００９】
本発明の実施の形態に係る第１の特徴は、塗布体の製造方法において、複数のノズルが形成されたノズル面を有し複数のノズルから液体を液滴としてそれぞれ噴射する液滴噴射ヘッドの複数のノズルから液体を排出する排出動作を行うステップと、排出動作後、液滴噴射ヘッドのノズル面を第１繊維体に押し込む第１押込動作を行うステップと、第１押込動作後、液滴噴射ヘッドのノズル面を洗浄液により洗浄する洗浄動作を行うステップと、洗浄動作後、液滴噴射ヘッドのノズル面を第２繊維体に押し込む第２押込動作を行うステップと、第２押込動作後、液滴噴射ヘッドのノズル面を第２繊維体に押し込む押込量を第２押込動作より小さくし、液滴噴射ヘッドのノズル面と第２繊維体とを相対移動させる拭取動作を行うステップと、拭取動作後、液滴噴射ヘッドにより塗布対象物に向けて液滴を噴射する噴射動作を行うステップとを有することである。
【手続補正６】
【補正対象書類名】明細書
【補正対象項目名】００１１
【補正方法】変更
【補正の内容】
【００１１】
本発明によれば、液滴噴射ヘッドのノズル面の損傷を抑えながら、ノズル面に付着した付着物及び洗浄液を除去し、噴射不良の発生を防止することができる塗布体の製造方法及び液滴噴射装置を提供することができる。
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
移動可能に設けられ、複数のノズルが形成されたノズル面を有し前記複数のノズルからそれぞれ液滴を噴射する液滴噴射ヘッドと、
前記ノズル面に対向する対向位置において、前記ノズル面の周囲の気体を吸引しながら、前記ノズルの各々から噴射された前記液滴を受けて排出する吸引部と、
前記吸引部を支持して前記液滴噴射ヘッドと共に移動可能に設けられ、支持した前記吸引部を前記対向位置と前記対向位置から離脱した非対向位置とに移動させる支持移動部と、
前記吸引部内を排気して前記吸引部に吸引力を与える排気部と、
を備えることを特徴とする液滴噴射装置。
【請求項２】
前記吸引部は、吸引用の開口部と、前記対向位置で前記ノズル面に前記開口部を介して対向する面であって複数の貫通孔が形成された対向面とを有し、
前記排気部は、前記対向面を介して前記開口部から気体を吸引するように前記吸引部に接続されていることを特徴とする請求項１記載の液滴噴射装置。
【請求項３】
請求項１又は２記載の液滴噴射装置の前記液滴噴射ヘッドからインクを噴射させて、噴射された前記インクおよび前記液滴噴射ヘッドの周囲の気体を前記吸引部により回収する工程と、
前記液滴噴射ヘッドから前記インクを噴射させて、噴射された前記インクを塗布対象物に塗布する工程と、
を具備することを特徴とする塗布体の製造方法。
【手続補正２】
【補正対象書類名】明細書
【補正対象項目名】００１０
【補正方法】変更
【補正の内容】
【００１０】
本発明の実施の形態に係る第１の特徴は、液滴噴射装置において、移動可能に設けられ、複数のノズルが形成されたノズル面を有し複数のノズルからそれぞれ液滴を噴射する液滴噴射ヘッドと、ノズル面に対向する対向位置において、ノズル面の周囲の気体を吸引しながら、ノズルの各々から噴射された液滴を受けて排出する吸引部と、吸引部を支持して液滴噴射ヘッドと共に移動可能に設けられ、支持した吸引部を対向位置と対向位置から離脱した非対向位置とに移動させる支持移動部と、吸引部内を排気して吸引部に吸引力を与える排気部とを備えることである。
【手続補正３】
【補正対象書類名】明細書
【補正対象項目名】００１１
【補正方法】変更
【補正の内容】
【００１１】
本発明の実施の形態に係る第２の特徴は、塗布体の製造方法において、前述の第１の特徴に係る液滴噴射装置の液滴噴射ヘッドからインクを噴射させて、噴射されたインクおよび液滴噴射ヘッドの周囲の気体を吸引部により回収する工程と、液滴噴射ヘッドからインクを噴射させて、噴射されたインクを塗布対象物に塗布する工程とを具備することである。
【手続補正４】
【補正対象書類名】明細書
【補正対象項目名】００１８
【補正方法】変更
【補正の内容】
【００１８】
Ｙ軸方向移動テーブル１３は、各ガイド溝１２ａにそれぞれ係合する複数の突起部（図示せず）を下面に有しており、Ｙ軸方向ガイド板１２の上面にＹ軸方向に移動可能に設けられている。また、Ｙ軸方向移動テーブル１３の上面には、複数のガイド溝１３ａがＸ軸方向に沿って設けられている。このＹ軸方向移動テーブル１３は、送りネジと駆動モータとを用いた送り機構（図示せず）により各ガイド溝１２ａに沿ってＹ軸方向に移動する。
【手続補正５】
【補正対象書類名】明細書
【補正対象項目名】００５２
【補正方法】変更
【補正の内容】
【００５２】
また、前述の実施の形態においては、吸引部２１の底面側の側面に排気パイプ２３ａを接続しているが、これに限るものではなく、例えば、吸引部２１の底面に接続するようにしてもよい。さらに、吸引部２１に１本の排気パイプ２３ａを接続し、その排気パイプ２３ａを介して吸引ポンプ２３ｃにより吸引部２１内を排気しているが、これに限るものではなく、例えば、吸引部２１に２本の排気パイプ２３ａを接続し、それらの排気パイプ２３ａを介して吸引ポンプ２３ｃにより吸引部２１内を排気するようにしてもよい。
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
島設備に固定される外枠に対して内枠を縦軸心周りに回動自在に枢着し、前記内枠に対して遊技盤を裏側から固定し、前記内枠の前面側において前面枠セットを縦軸心周りに回動自在に設け、前記内枠の後面側においてセット板を縦軸心周りに回動自在に枢着し、前記前面枠セットには演出装置が設けられ、前記遊技盤の裏面には前記演出装置を制御する制御基板が備えられている遊技機において、
前記内枠の前記外枠に対する枢着部に近い前記遊技盤のコーナーが角落ちされており、
前記内枠には、角落ちされた前記遊技盤の切り欠き空間に配置される取り付け部が形成され、
前記取り付け部が、前記遊技機の表裏方向に延び、且つ、前記切り欠き空間の外周を形成する外周壁を有し、
前記外周壁に囲まれる内側部分に支持面を設けると共に前記支持面に貫通孔を形成し、
前記支持面に、前記演出装置を前記制御基板に繋ぐための中継基板が配置されている、
ことを特徴とする遊技機。
【請求項２】
前記取り付け部における前記外周壁に囲まれ、表側から裏側へ向けて陥没し、前記支持面を底面とする凹部内に、前記中継基板が収容されている請求項１に記載の遊技機。
【請求項３】
前記取り付け部の前記外周壁が、前記内枠の周縁リブと平行に前記遊技機の表裏方向に延び、且つ、前記外周壁における前記遊技盤の中心側の一部において、前記支持面から表側に延びた後に裏側に向けて折り曲げられた部分を有する請求項２に記載の遊技機。
【請求項４】
前記外周壁における前記遊技盤の中心側の一部において、前記支持面から表側に延在する面が、前記遊技盤の中心側に向かって傾斜している請求項２又は３に記載の遊技機。
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
遊技機本体の第１取り付け部に取り付けられる第１基板と、前記遊技機本体に対して開閉自在な第２取り付け部に取り付けられる第２基板とを備える遊技機であって、
前記第２取り付け部が開状態ときに前記第１基板の少なくとも一部が露出され、
前記第２取り付け部が閉状態のときに前記第１基板と前記第２基板とが正面視で重なるように配置され、
前記第２取り付け部の前面側と前記第１基板の背面側との間には前記第１取り付け部が開閉どちらの状態であっても空間が形成され、
前記遊技機が、前記空間に配置され、前記第１取付け部及び前記第２取り付け部とは別体の隙間防止部材を備え、
前記隙間防止部材が、前記第２取り付け部材に対して連結固定されている、
ことを特徴とする遊技機。
【請求項２】
前記第１基板が、前記遊技機本体の前面側に設けられた電気機器と前記遊技機本体の背面側に設けられた制御装置との間の電気的な接続を中継し、
前記第２基板が、前記第２取り付け部の背面側に設けられて前記遊技機の背面側に露出され、前記遊技機の外部の電気機器と電気的に接続される請求項１に記載の遊技機。
【請求項３】
前記隙間防止部材が、前記第２取り付け部に対して複数個所の固定部で連結固定され、前記複数個所の固定部のうち、少なくとも一つの固定部は、ネジ固定された状態でネジ頭部の周囲を覆う壁部が一体に形成されている請求項１又は２に記載の遊技機。
【請求項４】
前記隙間防止部材が、ベース板と、前記ベース板の周縁部分から伸びる周縁リブと、前記周縁リブ内に形成される内部リブとによる一体樹脂成型品で構成され、前記周縁リブ及び前記内部リブが前記空間を埋める高さに形成されている請求項１、２又は３に記載の遊技機。
【請求項５】
前記隙間防止部材の前面側に、前記第１基板に接続される配線の位置を規制する上下の方向に通じる誘導溝が形成されている請求項４に記載の遊技機。
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
眼内挿入用レンズを収容する本体と、
該本体に収容された前記眼内挿入用レンズを前記本体の先端から眼内に押し出す押出し軸とを有する眼内挿入用レンズの挿入器具であって、
前記本体は、開いていることにより前記押出し軸の移動を可能にし、閉じていることにより前記押出し軸の移動を阻止する部分を有することを特徴とする眼内挿入用レンズの挿入器具。
【請求項２】
請求項１に記載の挿入器具と、
前記本体内に収容された眼内挿入用レンズとを有することを特徴とする眼内挿入用レンズの挿入システム。
【手続補正２】
【補正対象書類名】明細書
【補正対象項目名】発明の名称
【補正方法】変更
【補正の内容】
【発明の名称】眼内挿入用レンズの挿入器具及び眼内挿入用レンズの挿入システム
【手続補正３】
【補正対象書類名】明細書
【補正対象項目名】００１４
【補正方法】変更
【補正の内容】
【００１４】
本発明の一側面としての挿入器具は、眼内挿入用レンズを収容する本体と、該本体に収容された前記眼内挿入用レンズを前記本体の先端から眼内に押し出す押出し軸とを有する眼内挿入用レンズの挿入器具である。本体は、開いていることにより前記押出し軸の移動を可能にし、閉じていることにより前記押出し軸の移動を阻止する部分を有することを特徴とする。
【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
環状に形成されたステータの内周側に配置されるハウジングインナと、該ハウジングインナに固定され、可撓性を有する長尺の可撓体とを備えた電動機において、前記ハウジングインナの外周面に形成された凹部と、前記凹部に装着可能に形成された可撓体固定部材とを備え、前記可撓体固定部材は、前記凹部に装着可能に形成された湾曲部と、前記湾曲部の一端側に前記湾曲部を間にして形成された一対の固定部材支持部と、前記湾曲部の他端側に前記湾曲部を間にして円弧状に形成された一対の可撓体支持部とから構成され、前記可撓体固定部材は、前記湾曲部が前記凹部に装着されて、前記ハウジングインナに固定され、前記可撓体は前記一対の可撓体支持部で支持されてなることを特徴とする電動機。
【請求項２】
前記可撓体の外周の一部には、前記一対の可撓体支持部との接触によりその移動が阻止される段差が形成されてなることを特徴とする請求項１に記載の電動機。
【請求項３】
前記段差が前記可撓体の端部外周に被覆される接着剤付き熱収縮チューブにより形成されてなる請求項２の電動機。
【請求項４】
前記凹部は前記湾曲部が装着される第１凹部と、該第１凹部と交差し、前記固定部材支持部が収まる第２凹部とを有する請求項１乃至３のいずれか１項記載の電動機。
【手続補正２】
【補正対象書類名】図面
【補正対象項目名】図３
【補正方法】変更
【補正の内容】
【図３】
2007244096.tif 000001
【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
電動送風機を備えた本体ケースと、該本体ケースから着脱自在に設けられた集塵ケースとを備えた電気掃除機において、
前記集塵ケース内には、該集塵ケースから出し入れ自在に設けられた塵埃収容器を備え、
該塵埃収容器は、前記集塵ケースに設けられた出し入れ開口部から突出すると拡がる塵埃廃棄口を有することを特徴とする電気掃除機
【請求項２】
請求項１に記載の電気掃除機において、
前記塵埃収容器は二つの塵埃収容器部片からなり、二つの前記塵埃収容器部片が合わさった状態で前記塵埃廃棄口から奥側に向かって狭くなる形状を有していることを特徴とする電気掃除機。
【請求項３】
請求項２に記載の電気掃除機において、
二つの前記塵埃収容器部片は前記塵埃廃棄口が拡がったり狭まったりするよう回動自在に支持されていることを特徴とする電気掃除機。
【請求項４】
請求項２に記載の電気掃除機において、
二つの前記塵埃収容器部片は蝶番により回動自在に支持されていることを特徴とする電気掃除機。
【請求項５】
請求項１乃至４の何れかに記載の電気掃除機において、
前記集塵ケース内側で前記出し入れ開口部近傍と一方の前記塵埃収容器部片の前記塵埃廃棄口端部が回動自在に支持されていることを特徴とする電気掃除機。
【請求項６】
請求項５に記載の電気掃除機において、
前記集塵ケースに前記塵埃収容器を前記集塵ケースの外側に突出させるための部材を設け、前記塵埃収容器に前記集塵ケースからの脱落を防止するための脱落防止部材を設けたことを特徴とする電気掃除機。
【請求項７】
請求項５に記載の電気掃除機において、
前記集塵ケースに塵埃収容器用突き出し付勢バネを設け、前記塵埃収容器部片の外側に突起を設け前記集塵ケースの鍔部と当接するように構成したことを特徴とする電気掃除機。
【請求項８】
請求項１乃至７の何れかに記載の電気掃除機において、
前記集塵ケースの前記出し入れ開口部と前記塵埃収容器の前記塵埃廃棄口を開閉するための蓋を設け、該蓋の一側面を前記集塵ケース外側で回動自在となるよう支持し、
前記集塵ケース外側上部にクランプ部材を設け、該クランプ部材と係合する係止溝を前記蓋に設け、前記クランプ部材と前記係止溝が係合する際、前記蓋が閉じた状態となることを特徴とする電気掃除機。
【請求項９】
請求項１乃至７の何れかに記載の電気掃除機において、
前記集塵ケース外側に回動自在となるよう蓋を設け、前記集塵ケース外側上部にクランプ部材を設け、該クランプ部材と係合する係止溝を前記蓋に設けたことを特徴とする電気掃除機。
【請求項１０】
請求項８又は９に記載の電気掃除機において、
前記クランプ部材と前記係止溝が係合している場合、前記集塵ケースの前記出し入れ開口部と前記塵埃収容器の前記塵埃廃棄口と前記蓋に設けられた流入口が同一方向を向いていることを特徴とする電気掃除機。
【請求項１１】
請求項１乃至１０の何れかに記載の電気掃除機において、
前記塵埃収容器が前記出し入れ開口部から突出すると、前記塵埃廃棄口の大きさが前記出し入れ開口部の大きさよりも拡がることを特徴とする電気掃除機。
【請求項１２】
電動送風機を備えた本体ケースと、該本体ケースから着脱自在に設けられた集塵ケースとを備えた電気掃除機において、
前記集塵ケース内には、該集塵ケースから出し入れ自在に設けられた塵埃収容器を備え、
該塵埃収容器は前記集塵ケースに設けられた出し入れ開口部から突出すると拡がる塵埃廃棄口と、塵埃収容器用突き出し付勢バネと、合わさった状態で前記塵埃廃棄口から奥側に向かって狭くなる二つの塵埃収容器部片とからなり、二つの前記塵埃収容器部片は蝶番により回動自在に支持されており、前記塵埃収容器部片の外側に突起を設け前記集塵ケースの鍔部と当接するように構成し、前記集塵ケースの前記出し入れ開口部と前記塵埃収容器の前記塵埃廃棄口を開閉するための蓋を一側面が前記集塵ケース外側で回動自在となるよう支持し、前記集塵ケース外側上部にクランプ部材を設け、該クランプ部材と係合する係止溝を前記蓋に設け、前記クランプ部材と前記係止溝が係合する際、前記蓋が閉じた状態となるように構成し、前記集塵ケースに設けられた出し入れ開口部から突出すると拡がる塵埃廃棄口を有することを特徴とする電気掃除機。
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
電動送風機を内蔵する掃除機本体と、該掃除機本体に着脱自在に設けられた集塵ケースとを備えた電気掃除機において、
前記集塵ケース内に塵埃を捕集する塵埃収容器を設け、
該塵埃収容器の上流側にティッシュペーパーを配置し、
前記塵埃収容器は、前記集塵ケースの開口部から突出可能に設けたことを特徴とする電気掃除機。
【請求項２】
電動送風機を内蔵する掃除機本体と、該掃除機本体に着脱自在に設けられた集塵ケースとを備えた電気掃除機において、
前記集塵ケースは、塵埃を流入する流入口を有する部材と、メッシュ状の第１のフィルタと、ブリーツ加工された第２のフィルタとを備え、
前記第１のフィルタは、前記流入口の位置する側に開口し、前記第２のフィルタの位置する側に凹んだ形状を有し、
前記流入口を有する部材は、その一辺を軸として回動可能に支持されると共に、その他辺にて閉じた状態に拘束され、
前記第１のフィルタは、その一辺を軸として回動可能に支持され、前記流入口を有する部材が閉じた状態で前記流入口を有する部材と前記第２のフィルタとの間に収められ、
前記第１のフィルタの凹部には、ティッシュペーパーを取り付け可能であることを特徴とする電気掃除機。
【請求項３】
電動送風機を内蔵する掃除機本体と、該掃除機本体に着脱自在に設けられた集塵ケースとを備えた電気掃除機において、
前記集塵ケースは塵埃流入口を有する部品とフィルタを有する部品を備え、
前記塵埃流入口を有する部品と前記フィルタを有する部品は回動自在に支持されており、
前記塵埃流入口を有する部品と前記フィルタを有する部品のうち、一方の部品にクランプ部材を設け、もう一方の部品に該クランプ部材と係合する係止溝を設け、
前記集塵ケースの外側上部にハンドルを設け、
該ハンドルの端部に前記クランプ部材と前記係止溝の係合を解除する操作部を設け、
前記フィルタを有する部品のフィルタ部は前記塵埃流入口に向かって拡がる凹状で、かつ除塵手段を有し、
前記塵埃流入口を有する部品と前記フィルタを有する部品の間にティッシュペーパーを配置可能に構成したことを特徴とする電気掃除機。
【請求項４】
請求項３に記載された電気掃除機において、
前記ティッシュペーパーは前記クランプ部材と前記係止溝の係合により前記塵埃流入口を有する部品と前記フィルタを有する部品とに挟持されることを特徴とする電気掃除機。
【請求項５】
請求項３又は４に記載された電気掃除機において、
前記フィルタ部の開口面は略四角であることを特徴とする電気掃除機。
【請求項６】
請求項３乃至５の何れかに記載された電気掃除機において、
前記フィルタ部は凹状の外郭を有し、該外郭にフィルタが設けられていることを特徴とする電気掃除機。
【請求項７】
請求項３乃至６の何れかに記載された電気掃除機において、
前記フィルタ部の下流側に波形状のフィルタを有する他のフィルタ部を備えたことを特徴とする電気掃除機。
【請求項８】
請求項３乃至７の何れかに記載された電気掃除機において、
前記塵埃流入口を有する部品と前記フィルタを有する部品は蝶番によって回動自在に支持されていることを特徴とする電気掃除機。
【請求項９】
請求項３乃至８の何れかに記載された電気掃除機において、
前記フィルタを有する部品はプラスチックからなることを特徴とする電気掃除機。
【請求項１０】
請求項３乃至９の何れかに記載された電気掃除機において、
前記ティッシュペーパーは前記フィルタ部の形に合うように装着されることを特徴とする電気掃除機。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
各種加工をする為のねじりブラシにおいて、前記ねじりブラシは、保持部、支軸部、ブラシ部、及び芯材を有し、前記保持部は、前記芯材と、該芯材の外周に巻きつけられた線材とにより形成されてあり、前記支軸部は、前記芯材及び該芯材の外周に巻きつけられた線材或いは前記芯材により形成されてあると共に、前記ブラシ部は前記保持部の外周部に複数のブラシ片が少なくとも前記線材にて挟み付けられて形成されてあり、前記芯材は前記支軸部、及び保持部を連通するように形成されてあることを特徴とするねじりブラシ。
【請求項２】
請求項１記載の構成よりなるねじりブラシにおいて、前記ブラシ片は前記線材、及び前記芯材にて挟み付けられて形成されてあることを特徴とするねじりブラシ。
【請求項３】
請求項１及び２記載の構成よりなるねじりブラシにおいて、前記支軸部は、芯材のみにて形成されてあることを特徴とするねじりブラシ。
【請求項４】
請求項１及び３記載の構成よりなるねじりブラシにおいて、前記芯材は筒状体にて形成されてあることを特徴とするねじりブラシ。
【請求項５】
請求項１及び４記載の構成よりなるねじりブラシにおいて、前記支軸部の外周部に支持部材Ａが着脱可能に構成されてあることを特徴とするねじりブラシ。
【請求項６】
請求項１及び５記載の構成よりなるねじりブラシにおいて、前記支軸部を構成する芯材の外周部に支持部材Ｂが着脱可能に構成されてあることを特徴とするねじりブラシ。
【請求項７】
請求項１及び６記載の構成よりなるねじりブラシにおいて、前記支軸部を構成する芯材の空洞部に支持部材Ｃが着脱可能に構成されてあることを特徴とするねじりブラシ。
【手続補正２】
【補正対象書類名】明細書
【補正対象項目名】０００９
【補正方法】変更
【補正の内容】
【０００９】
第１の課題解決手段は、各種加工をする為のねじりブラシにおいて、前記ねじりブラシは、保持部、支軸部、ブラシ部、及び芯材を有し、前記保持部は、前記芯材と、該芯材の外周に巻きつけられた線材とにより形成されてあり、前記支軸部は、前記芯材及び該芯材の外周に巻きつけられた線材或いは前記芯材により形成されてあると共に、前記ブラシ部は前記保持部の外周部に複数のブラシ片が少なくとも前記線材にて挟み付けられて形成されてあり、前記芯材は前記支軸部、及び保持部を連通するように形成されてある構成としたものである。
【手続補正３】
【補正対象書類名】明細書
【補正対象項目名】００１１
【補正方法】変更
【補正の内容】
【００１１】
第３の課題解決手段は、第１及び第２の課題解決手段のねじりブラシにおいて、前記支軸部は、芯材のみにて形成されてある構成としたものである。
【手続補正４】
【補正対象書類名】明細書
【補正対象項目名】００１６
【補正方法】変更
【補正の内容】
【００１６】
上記第１の課題解決手段による作用は次の通りである。すなわち、ねじりブラシを構成する保持部は、芯材と、該芯材の外周に巻きつけられた線材とにより形成されてあり、支軸部は、前記芯材及び該芯材の外周に巻きつけられた線材或いは前記芯材により形成されてあると共に、ブラシ部は前記保持部の外周部に複数のブラシ片が少なくとも前記線材にて挟み付けられて形成されてあり、前記芯材は前記支軸部、及び保持部を連通するように形成されてある。その為、保持部、及び支軸部は、ねじりブラシの外部からの加圧、衝撃等にたいして、芯材の無い場合と比べて、外部からの加圧、衝撃等にたいする機械的強度が大きくなる。また、支軸部、及び保持部の根元部は、芯材にて連通している。その為、保持部の根元部は、例えば、保持部の側部からの加圧、衝撃等があった場合には、芯材の無い場合と比べて、外圧に対する機械的強度が大きくなる。また、芯材は保持部、及び支軸部を連通しているので、芯材の周りに保持部、及び支軸部を構成している線材を巻きつけて捩る事により、芯材の長手方向の軸芯の精度を保持した保持部、及び支軸部が形成される。
【手続補正５】
【補正対象書類名】明細書
【補正対象項目名】００１８
【補正方法】変更
【補正の内容】
【００１８】
上記第３の課題解決手段による作用は次の通りである。すなわち、第１及び第２の課題解決手段のねじりブラシにおいて、支軸部は、芯材のみにて形成されてある。その為、芯材に外径精度の高い芯材を使用することで、外径精度の高い支軸部が形成できる。その為、外径精度の高い支軸部の外径を回転体に保持する事により、芯ブレ等が極めて少ないねじりブラシを回転させて使用する形態を採用できる。
【手続補正６】
【補正対象書類名】明細書
【補正対象項目名】００２４
【補正方法】変更
【補正の内容】
【００２４】
第１の発明は、ねじりブラシを構成する保持部は、芯材と、該芯材の外周に巻きつけられた線材とにより形成されてあり、支軸部は、前記芯材及び該芯材の外周に巻きつけられた線材或いは前記芯材により形成されてあると共に、ブラシ部は前記保持部の外周部に複数のブラシ片が少なくとも前記線材にて挟み付けられて形成されてあり、前記芯材は前記支軸部、及び保持部を連通するように形成されてある。その為、保持部、及び支軸部は、ねじりブラシの外部からの加圧、衝撃等にたいして、芯材の無い場合と比べて、外部からの加圧、衝撃等にたいする機械的強度が大きくなる。その為、外部からの加圧、衝撃等にたいする耐久性の高いねじりブラシを製作できる。また、支軸部、及び保持部の根本部は、芯材にて連通している。その為、保持部の根元部は、例えば、保持部の側部からの加圧、衝撃等があった場合には、芯材の無い場合と比べて、外圧にたいする機械的強度が大きくなる。その為、ブラシ部の根元部の座屈、曲り等を防止できる。さらにまた、芯材は保持部、及び支軸部を連通しているので、芯材の周りに保持部、及び支軸部を構成している線材を巻きつけて捩る事により、芯材の長手方向の軸芯の精度を保持した保持部、及び支軸部が形成される。その為、芯ブレ等が極めて少ない真直度の高い製品精度を有したねじりブラシを製作できる。
【手続補正７】
【補正対象書類名】明細書
【補正対象項目名】００２６
【補正方法】変更
【補正の内容】
【００２６】
第３の発明は、ねじりブラシにおいて、支軸部は、芯材のみにて形成されてある。その為、芯材に外径精度の高い芯材を使用することで、外径精度の高い支軸部が形成できる。その為、外径精度の高い支軸部の外径を回転体に保持する事により、芯ブレ等が極めて少ないねじりブラシを回転させて使用する形態を採用できる。その為、支軸部は、芯ブレ等が極めて少ないねじりブラシを製作できる。また、例えば、電動ドリル、旋盤等に取りつけて回転体として使用できる。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
自動車あるいは車両の外面の被洗浄面に付着した汚れ等を洗浄する為の洗車機に使用する洗車機用洗浄ブラシのブラシ用毛材において、前記ブラシ用毛材は少なくとも外層部及び芯部を有し、前記芯部は前記外層部の硬度よりも大の硬度を有すると共に、前記外層部は前記芯部の外周面の一部又は全部を被覆して形成されてあることを特徴とする洗車機用洗浄ブラシのブラシ用毛材。
【請求項２】
請求項１記載の構成よりなる洗車機用洗浄ブラシのブラシ用毛材において、前記外層部は発泡体にて形成されてあると共に、前記外層部の材質としてポリエチレン樹脂、ポリプロピレン樹脂、エチレン酢酸ビニル樹脂、エチレンメチルアクリレート樹脂、エチレンエチルアクリレート樹脂、エチレンブチルアクリレート樹脂等のポリオレフィン系樹脂あるいはウレタン樹脂の内、少なくとも１種類以上の前記材質が使用されてあることを特徴とする洗車機用洗浄ブラシのブラシ用毛材。
【請求項３】
請求項１又は２記載の構成よりなる洗車機用洗浄ブラシのブラシ用毛材において、前記芯部の材質としてポリエチレン樹脂、ポリプロピレン樹脂、エチレン酢酸ビニル樹脂、ポリエステル系樹脂、ポリアミド系樹脂の内、少なくとも１種類以上の前記材質が使用されてあることを特徴とする洗車機用洗浄ブラシのブラシ用毛材。
【請求項４】
請求項１から３のいずれか１項に記載の構成よりなる洗車機用洗浄ブラシのブラシ用毛材において、少なくとも前記外層部あるいは前記芯部が形状復元力を有することを特徴とする洗車機用洗浄ブラシのブラシ用毛材。
【請求項５】
請求項１から４のいずれか１項に記載の構成よりなる洗車機用洗浄ブラシのブラシ用毛材において、前記ブラシ用毛材の断面の側端部が概丸形あるいはカール形状にて形成されてあることを特徴とする洗車機用洗浄ブラシのブラシ用毛材。
【請求項６】
請求項１から５のいずれか１項に記載の構成よりなる洗車機用洗浄ブラシのブラシ用毛材において、前記ブラシ用毛材を断面視した場合に少なくとも芯部が多層に重ね合わされた折り畳み部が形成されてあることを特徴とする洗車機用洗浄ブラシのブラシ用毛材。
【請求項７】
請求項１から６のいずれか１項に記載の構成よりなる洗車機用洗浄ブラシのブラシ用毛材において、前記ブラシ用毛材の断面は膨大部と平坦部が交互に形成されてあることを特徴とする洗車機用洗浄ブラシのブラシ用毛材。
【請求項８】
請求項１から７のいずれか１項に記載の構成よりなる洗車機用洗浄ブラシのブラシ用毛材において、前記ブラシ用毛材の断面は波形状にて形成されてあることを特徴とする洗車機用洗浄ブラシのブラシ用毛材。
【請求項９】
請求項１から８のいずれか１項に記載の構成よりなる洗車機用洗浄ブラシのブラシ用毛材において、前記ブラシ用毛材は少なくとも長手方向の一端部に少なくとも先割れ部あるいはスリットのいずれかが形成されてあることを特徴とする洗車機用洗浄ブラシのブラシ用毛材。
【請求項１０】
請求項１から９のいずれか１項に記載の洗車機用洗浄ブラシのブラシ用毛材を配した洗車機用洗浄ブラシ。
【請求項１１】
駆動源と、被洗浄面に散布する洗浄剤及び水を噴出させるノズルと、洗浄後の被洗浄面を乾燥させる乾燥手段を備えると共に、請求項１０記載の洗車機用洗浄ブラシを搭載した洗車機。
【手続補正２】
【補正対象書類名】明細書
【補正対象項目名】００１３
【補正方法】変更
【補正の内容】
【００１３】
また、第６の課題解決手段は、第１から第５の課題解決手段のブラシ用毛材において、前記ブラシ用毛材を断面視した場合に少なくとも芯部が多層に重ね合わされた折り畳み部が形成されてある構成としたものである。
【手続補正３】
【補正対象書類名】明細書
【補正対象項目名】００２４
【補正方法】変更
【補正の内容】
【００２４】
また、第６の課題解決手段による作用は、前記第１から第５の課題解決手段のブラシ用毛材における前記ブラシ用毛材を断面視した場合に少なくとも芯部が多層に重ね合わされた折り畳み部が形成されてある為、ブラシ用毛材は折り畳み部で、毛腰がさらに強く設定されると共に、折り畳み部の折り返し部により、被洗浄面に付着している汚れの掻き出し性能が発揮される。また、折り畳み部に、被洗浄面からの衝撃力等の反力が吸収、分散される。さらにまた、折り畳み部には、洗浄水等が一時、溜められる。
【手続補正４】
【補正対象書類名】明細書
【補正対象項目名】００３６
【補正方法】変更
【補正の内容】
【００３６】
第６の発明は、前記ブラシ用毛材を断面視した場合に少なくとも芯部が多層に重ね合わされた折り畳み部が形成されてある為、ブラシ用毛材は折り畳み部で、毛腰がさらに強く設定されると共に、折り畳み部の折り返し部により、被洗浄面に付着している汚れの掻き出し性能が発揮される。その為、洗浄性の向上を図ることができる。また、折り畳み部に、被洗浄面からの衝撃力等の反力が吸収、分散される為、ブラシ用毛材の毛折れ、毛切れが無く、ブラシ用毛材の耐久性の向上が図られる。さらにまた、折り畳み部には、洗浄水等が一時、溜められる。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
遊技者にとって有利な特別遊技状態の発生の有無を知らせる識別情報変動表示を行う表示手段を備えた遊技機において、
遊技の利益に関する制御を行うものであって前記特別遊技状態の当否抽選を行うとともに前記表示手段の変動表示を制御する主制御手段と、
前記主制御手段から送られてきた、当該遊技機の状態を示す外部出力情報を外部出力する外部出力手段と、
所定期間における外部出力情報のうちの所定の情報の出力回数を表示する外部出力情報表示手段とを備えている
ことを特徴とする遊技機。
【請求項２】
請求項１に記載の遊技機において、
前記主制御手段は、所定期間毎の外部出力情報の出力回数の履歴を記憶する履歴記憶手段を備え、
前記外部出力情報表示手段は、所定期間毎に外部出力情報の出力回数を表示する所定期間別表示手段を備え、
前記履歴記憶手段は、外部出力情報の出力回数情報とそのときの時刻情報と関連させて記憶する情報記憶手段を備え、
前記主制御手段は、前記情報記憶手段の中から所定期間内に属する時刻情報に基づいて所定期間毎の外部出力情報の出力回数を検索収集する収集手段を備え、
前記所定期間別表示手段は、前記収集手段で収集された所定期間毎の外部出力情報の出力回数を表示する
ことを特徴とする遊技機。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
遊技の利益に関する制御を行う主制御手段を備えた遊技機において、
前記主制御手段からの指令に基づいて、所定の制御を行う副制御手段を備え、
前記主制御手段は、所定の入力信号が入力される入力手段と、前記入力手段への入力信号が所定の入力条件を満たすか否かを判定する入力条件成立判定手段と、前記入力条件成立判定手段での入力条件を満たすとの判定によって行われる特定処理に基づいて、前記副制御手段に所定の指令を出力する指令出力手段と、前記指令出力手段からの出力指令に基づいて、前記主制御手段の状態を動作態様が変化することで報知する状態報知手段とを備えている
ことを特徴とする遊技機。
【請求項２】
請求項１に記載の遊技機において、
前記状態報知手段は、その動作電源電圧が前記副制御手段から供給されている
ことを特徴とする遊技機。
【請求項３】
請求項１または２に記載の遊技機において、
遊技球が打ち込まれる遊技領域を有する遊技盤と、
前記遊技領域に遊技球を発射する発射手段と、
遊技者による遊技球の発射操作を受ける操作手段と、
前記操作手段への遊技者の接触を検出する接触検出手段と、
前記操作手段からの操作量を示す信号と前記接触検出手段からの接触検出信号とが入力されると前記主制御手段へ発射許可信号を出力するとともに、発射に関する指令に基づいて前記発射手段を制御する発射制御手段と、
を備え、
前記副制御手段は前記発射制御手段であり、
前記入力手段は、発射許可信号が入力されるものであり、
前記入力条件成立判定手段は、発射許可信号の入力の場合、または、発射許可信号と他の信号との入力の場合に、入力条件を満たすと判定するものであり、
前記指令出力手段は、前記入力条件成立判定手段での入力条件を満たすとの判定に基づいて、前記発射制御手段に発射に関する指令を出力するものであり、
前記状態報知手段は、前記指令出力手段からの発射に関する指令に基づいて状態報知する
ことを特徴とする遊技機。
【手続補正書】
【提出日】平成21年3月6日(2009.3.6)
【手続補正１】
【補正対象書類名】特許請求の範囲
【補正対象項目名】請求項１
【補正方法】変更
【補正の内容】
【請求項１】
所定重量物を搭載し、湿田上を牽引されて滑走する湿田用被牽引装置であって、
滑走方向に長い筒状で内部が密閉空間となっている複数のフロートと、
これら複数のフロートを幅方向に並べて一体に連結するフレーム部材と、を備え、
一体に連結した前記複数のフロートの浮力により湿田上を滑走することを特徴とする湿田用被牽引装置。
【手続補正２】
【補正対象書類名】明細書
【補正対象項目名】０００２
【補正方法】変更
【補正の内容】
【０００２】
従来、牽引車輌に装着された代掻作業機と、牽引車輌に牽引される田舟に搭載された肥料散布装置と、を備え、蓮根田において、代掻作業時に同時に肥料散布を可能とした作業機ユニットが案出されている（特許文献１参照）。
【手続補正３】
【補正対象書類名】明細書
【補正対象項目名】０００８
【補正方法】変更
【補正の内容】
【０００８】
請求項１に係る本発明は、所定重量物（１６）を搭載し、湿田上を牽引されて滑走する湿田用被牽引装置であって、
滑走方向に長い筒状で内部が密閉空間となっている複数のフロート（６）と、
これら複数のフロートを幅方向に並べて一体に連結するフレーム部材（２２，２３）と、を備え、
一体に連結した前記複数のフロートの浮力により湿田上を滑走することを特徴とする湿田用被牽引装置にある。
【手続補正４】
【補正対象書類名】明細書
【補正対象項目名】００２２
【補正方法】変更
【補正の内容】
【００２２】
上記フロート集合体５上には、肥料散布装置１６が搭載されている。該肥料散布装置１６は、肥料ホッパ２７と、該ホッパ内の肥料を撹拌したり散布するための動力源となるエンジン２９とを有しており、これらを載置するフレーム３０が、中央２本のフロート６２，６３上に設けられた載置枠体３１上に固定されている。肥料ホッパ２７の下部には、肥料落下口２７ａを開口又は閉塞するシャッタ３４が配置されており、上記落下口２７ａからはシュータ３２（図１参照）を介して肥料拡散散布円盤３３が配設されている。また、ホッパ２７内には撹拌棒３５が配置されており、これら円盤３３及び撹拌棒３５が図示しない動力伝達装置を介して前記エンジン２９により駆動される。
【手続補正５】
【補正対象書類名】明細書
【補正対象項目名】００２４
【補正方法】変更
【補正の内容】
【００２４】
エンジン右側方のフレーム組立体２０に枢支されてシャッターリンクプレート４０が配置されており、該リンクプレートの枢支軸近傍には前方（作業者搭乗用田舟３）に向って延びる操作レバー４１が固定されている。前記リンクプレート４０の先端部に取付け位置を変更自在にロッド３８が連結されており、該ロッド３８は、シャッタ量調整装置４２及びアーム４４を介して前記肥料シャッタ３４に連結されている。
【手続補正６】
【補正対象書類名】明細書
【補正対象項目名】００３０
【補正方法】変更
【補正の内容】
【００３０】
ついで、本代掻き・肥料散布作業機ユニット１を用いた作業について説明する。作業者は、田舟３に乗って、牽引車輌である管理機２をハンドル１３により操作して、蓮根田上を走行しつつ代掻き作業を行う。管理機２の走行に伴い、連結部材７，８を介して田舟３及びフロート集合体５が牽引されて湿田上を滑走する。田舟３上の作業者は、上記管理機２の操作と同時に、ハンドル４１を持って肥料散布装置１６のシャッタ３４を操作する。これにより、蓮根田において、代掻き作業と同時に肥料の散布作業が行われる。
【手続補正７】
【補正対象書類名】図面
【補正対象項目名】図４
【補正方法】変更
【補正の内容】
【図４】
2007244337.tif 000001
【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
少なくとも一つの第一の貫通孔を設けた薄板と、第二の貫通孔を設けた保持プレートと、ウエルからなる細胞電気生理センサであって、前記薄板を第二の貫通孔の内部に保持し、この第二の貫通孔の上部に溶液または細胞を含んだ溶液を蓄積できるウエルを保持プレートに当接し、前記ウエルを構成する内壁部に前記保持プレートにまで到達する第三の貫通孔を少なくとも一つ設けるとともに、この第三の貫通孔の一方の開口部は前記第二の貫通孔に向かって開口している細胞電気生理センサ。
【請求項２】
ウエルの内壁部の保持プレート側の開口部の形状を薄板の外径よりも小さくした請求項１に記載の細胞電気生理センサ。
【請求項３】
ウエルの内壁部の保持プレート側の開口部に第二の貫通孔の内部へ突出した突出部を設けた請求項１に記載の細胞電気生理センサ。
【請求項４】
薄板の外周部に枠体部を設け、この枠体部を保持プレートの第二の開口部に前記枠体部をウエル側となるように保持し、このウエルの突出部を前記枠体部によって構成されたキャビティの内部へ挿入した請求項３に記載の細胞電気生理センサ。
【請求項５】
前記第三の貫通孔は、複数形成されている請求項１に記載の細胞電気生理センサ。
【請求項６】
少なくとも一つの第一の貫通孔を設けた薄板と、第二の貫通孔を設けた保持プレートと、ウエルからなり、前記薄板を第二の貫通孔の内部に保持し、この第二の貫通孔の上部に溶液または細胞を含んだ溶液を蓄積できるウエルを保持プレートに当接し、前記ウエルを構成する内壁部に前記保持プレートにまで到達する第三の貫通孔を少なくとも一つ設けるとともに、この第三の貫通孔の一方の開口部は前記第二の貫通孔に向かって開口している細胞電気生理センサを準備する工程と、ウエルの内部に第一の溶液を蓄積する工程と、第三の貫通孔の内部へ第二の溶液を投入する工程を少なくとも含む細胞電気生理現象の測定方法。
【請求項７】
ウエルの内部の第一の溶液を第二の溶液へ交換する請求項６に記載の細胞電気生理現象の測定方法。
【請求項８】
第二の溶液に細胞を含ませる請求項６に記載の細胞電気生理現象の測定方法。
【請求項９】
少なくとも一つの第一の貫通孔を設けた薄板と、第二の貫通孔を設けた保持プレートと、ウエルからなり、前記薄板を第二の貫通孔の内部に保持し、この第二の貫通孔の上部に溶液または細胞を含んだ溶液を蓄積できるウエルを保持プレートに当接し、前記ウエルを構成する内壁部に前記保持プレートにまで到達する第三の貫通孔を少なくとも一つ設けるとともに、この第三の貫通孔の一方の開口部は前記第二の貫通孔に向かって開口している細胞電気生理センサを準備する工程と、前記ウエルの内部に溶液を入れる工程と、
この溶液を前記第三の貫通孔から吸引する工程とを含む細胞電気生理現象の測定方法。
【請求項１０】
前記細胞電気生理センサは、
前記第三の貫通孔を複数有するとともに、これらの第三の貫通孔の一方の開口部はそれぞれ前記第二の貫通孔に向かって開口し、
前記溶液を前記第三の貫通孔から吸引する工程では、前記複数の第三の貫通孔から前記溶液を吸引する請求項９に記載の細胞電気生理現象の測定方法。
【請求項１１】
前記細胞電気生理センサは、
前記第三の貫通孔を複数有するとともに、これらの第三の貫通孔の一方の開口部はそれぞれ前記第二の貫通孔に向かって開口し、
前記ウエルの内部に溶液を入れる工程では、この溶液を少なくともいずれかの前記第三の貫通孔から投入し、
前記溶液を前記第三の貫通孔から吸引する工程では、
前記溶液を投入する前記第三の貫通孔とは別の前記第三の貫通孔から前記溶液を吸引することを特徴とする請求項９に記載の細胞電気生理現象の測定方法。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
遊技価値の掛け数を決定した状態で遊技者の操作に応じて起動と停止とを行い、その起動により図柄の表示を変動させる一方、その停止時に複数の図柄を組み合わせて表示する図柄表示装置を備え、この図柄表示装置が停止したときの図柄表示態様から入賞の有無を決定して１回のゲームを終了とする遊技機において、  前記図柄表示装置の停止時に特定の図柄表示態様で入賞があった場合に特典遊技状態に移行させ、
この特典遊技状態にある間に特典数の異なる複数種類の図柄表示態様で入賞を可能とする特典遊技状態移行手段と、
前記特典遊技状態にある間に前記図柄表示装置の起動操作に応じて所定の抽選確率で抽選を行い、この抽選結果から１回のゲームごとに複数種類の図柄表示態様のいずれかで入賞を許容するか否かを決定する抽選手段と、
前記特典遊技状態にある間に１回のゲームごとに遊技者が決定した掛け数を累計する掛け数累計手段と、
前記特典遊技状態にある間の入賞により、遊技者に与えられた特典数を累計する特典数累計手段と、
前記特典数累計手段による特典数の累計が所定の上限数を超えた場合に前記特典遊技状態を終了させる終了手段と、
前記特典遊技状態にある間の特定のゲームで前記抽選手段により抽選が行われた結果、この抽選結果に応じた図柄表示態様で入賞があるとした場合と、抽選結果に応じた図柄表示態様で入賞がないとした場合との２つの場合について、
それぞれ前記終了手段により前記特典遊技状態が終了させられる時点での特典数の累計と掛け数の累計との差数を算出する算出手段と、
前記特定のゲームで前記図柄表示装置の停止操作がなされる前に、算出手段による算出結果に基づいて前記図柄表示装置の停止操作に関する情報を遊技者に報知する報知手段と、
を備えていることを特徴とする遊技機。
【請求項２】
請求項１記載の遊技機において、
前記特典遊技状態は、第１の図柄表示態様で入賞可能となる１回ごとのゲーム機会と、第２の図柄表示態様で入賞可能となる一連のゲーム群からなるゲーム機会とをそれぞれ複数回ずつ含むものとなっており、
前記特定のゲームにおいて抽選手段により前記第２の図柄表示態様で入賞可能となる抽選結果が得られた場合、前記報知手段は、次回のゲームにおいて第１の図柄表示態様での入賞が可能となる抽選確率に基づき、前記特定のゲームにおいて第２の図柄表示態様による入賞を回避させた場合に差数を相対的に増加させることができる確率を報知する
ことを特徴とする遊技機。
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
画像形成装置本体に装着された場合に該画像形成装置本体にシートを給送する予備給送装置をオプションとして装着可能な画像形成装置において、
前記予備給送装置に設けられた基板と画像形成装置本体に設けられた基板との間を電気的に接続するための電気接続手段と、
前記予備給送装置が画像形成装置本体に装着される場合に、前記電気接続手段の接続前に、前記予備給送装置の基板のグランドが電気的に接続される導電性のフレームグランドと前記画像形成装置本体の基板のグランドが電気的に接続される導電性のフレームグランドとを電気的に接続するフレームグランド接続手段と、
前記画像形成装置本体の基板へ電力を供給する交流電源コードが接続可能で、前記画像形成装置本体の基板のグランドと電気的に接続されるグランド端子を有する交流電源の交流入力部と、
を備え、
前記電気接続手段と、前記フレームグランド接続手段と、前記交流電源の入力部とを、
前記画像形成装置本体を前後部および左右部の四つの部分に分割したと想定した場合、前記電気接続手段と、前記フレームグランド接続手段と、画像形成装置本体への交流入力部とを前記四つの部分のうち同一部分に配置したことを特徴とする画像形成装置。
【請求項２】
前記予備給送装置及び画像形成装置本体に、前記予備給送装置と画像形成装置本体とを位置決めする位置決め手段を設け、
前記位置決め手段は、前記フレームグランド接続手段を構成していることを特徴とする請求項１に記載の画像形成装置。
【請求項３】
前記位置決め手段は、
前記予備給送装置と画像形成装置本体とのうちいずれか一方のフレームグランドに電気的に導通する第一導通部を少なくとも一部に有する位置決め用凸部と、
前記予備給送装置と画像形成装置本体とのうちいずれか他方のフレームグランドに電気的に導通して設けられ前記予備給送装置が画像形成装置本体に装着される場合に前記第一導通部に電気的に導通する第二導通部を少なくとも一部に有し、前記位置決め用凸部が嵌合する位置決め用凹部と、
を備えることを特徴とする請求項２に記載の画像形成装置。
【手続補正２】
【補正対象書類名】明細書
【補正対象項目名】００１８
【補正方法】変更
【補正の内容】
【００１８】
上記目的を達成するために本発明にあっては、
画像形成装置本体に装着された場合に該画像形成装置本体にシートを給送する予備給送装置をオプションとして装着可能な画像形成装置において、
前記予備給送装置に設けられた基板と画像形成装置本体に設けられた基板との間を電気的に接続するための電気接続手段と、
前記予備給送装置が画像形成装置本体に装着される場合に、前記電気接続手段の接続前に、前記予備給送装置の基板のグランドが電気的に接続される導電性のフレームグランドと前記画像形成装置本体の基板のグランドが電気的に接続される導電性のフレームグランドとを電気的に接続するフレームグランド接続手段と、
前記画像形成装置本体の基板へ電力を供給する交流電源コードが接続可能で、前記画像形成装置本体の基板のグランドと電気的に接続されるグランド端子を有する交流電源の交流入力部と、
を備え、
前記電気接続手段と、前記フレームグランド接続手段と、前記交流電源の入力部とを、
前記画像形成装置本体を前後部および左右部の四つの部分に分割したと想定した場合、前記電気接続手段と、前記フレームグランド接続手段と、画像形成装置本体への交流入力部とを前記四つの部分のうち同一部分に配置したことを特徴とする。